(57)【要約】【課題】無線系統が切り替え有られた場合でも、通報が脱落せず受信者が混乱しない再放送をする防災無線システム、親局、中継局および再送信方法を提供する。【解決手段】制御処理部１１は、無線装置１６ａがオンエア中にアラーム信号を受信した場合、無線装置１６ａを自動的に予備系に切り替える一方、通報データメモリ１２１に書込記録するオンエア中原稿の読み上げ状態を監視し、読上が終了したことを検出するとメッセージメモリ１２２から、予め記録されていた送信中の切替を行ったことを受信者に通知する切替メッセージの音声符号化データを読出し、このメッセージに続けて、通報データメモリ１２１に書込記録していた通報データを読み出して再生する。この再生された切替メッセージと通報データとが無線装置１６ａの予備系から繰り返して送信される。【選択図】図２
2009182484.tif 000002
【特許請求の範囲】
【請求項１】
冗長化された送信系統を備え、親局から無線送信された通報データを受信する複数の子局から音声により防災放送を行う防災無線システムにおいて
音声符号化された音声データを記憶する記憶手段と、送信中の前記防災放送の音声信号の通報データを前記記憶手段に書込記憶する制御と、前記通報データの無線送信中に送信系統が現用系から予備系に切替られた場合、予め前記記憶手段が記憶している再送信メッセージと、前記記憶手段に前記書込記憶していた通報データとを読み出して前記子局へ向けて再送信する制御を行う制御手段とを
備える親局を具備することを特徴とする防災無線システム。
【請求項２】
前記送信中の前記防災放送の音声信号は、オペレータによりマイクから入力される音声信号であって、
前記制御手段は、
前記通報データの無線送信中に送信系統が現用系から予備系に切替られた場合、前記音声信号の入力が終了したことを検出して前記再送信する
ことを特徴とする請求項１記載の防災無線システム。
【請求項３】
冗長化された送信系統を備え、親局から無線送信された通報データを受信する複数の子局から音声により防災放送を行う防災無線システムの親局において
音声符号化された音声データを記憶する記憶手段と、
送信中の前記防災放送の音声信号の通報データを前記記憶手段に書込記憶する制御と、前記通報データの無線送信中に送信系統が現用系から予備系に切替られた場合、予め前記記憶手段が記憶している再送信メッセージと、前記記憶手段に前記書込記憶していた通報データとを読み出して前記子局へ向けて再送信する制御を行う制御手段とを
具備することを特徴とする防災無線システムの親局。
【請求項４】
前記送信中の前記防災放送の音声信号は、オペレータによりマイクから入力される音声信号であって、
前記制御手段は、
前記通報データの無線送信中に送信系統が現用系から予備系に切替られた場合、前記音声信号の入力が終了したことを検出して前記再送信する
ことを特徴とする請求項３記載の防災無線システムの親局。
【請求項５】
冗長化された送信系統を備える親局と、複数の子局とを備え、前記親局から無線送信された通報データを受信する複数の子局が音声により防災放送を行う防災無線システムの再送信方法において、
前記親局は、
無線送信中のオペレータがマイクから入力する前記防災放送の音声信号の通報データを記憶手段に書込記憶し、
前記無線送信中に送信系統が現用系から予備系に切替られた場合、前記マイクからの音声入力の終了を検出して、予め前記記憶手段に記憶されている再送信メッセージと、前記記憶手段に前記書込記憶していた通報データとを読み出して前記子局へ向けて再送信する
ことを特徴とする防災無線システムの再送信方法。
【発明の詳細な説明】
【技術分野】
【０００１】
本発明は、  系統切替を行う防災無線システム、親局、および再送信方法に関する。
【背景技術】
【０００２】
市町村自治体等が運用する防災無線は、自治体の非常災害通報や防災情報のアナウンスを親局から一斉送信し、それを受信した子局や戸別受信器が音声スピーカから音声を放送する。アナウンスは、親局のマイクロフォンから原稿を読み上げる等により音声情報が各子局等へ送信されるが、各子局に一斉に同じ内容を繰り返して通知するために録音した音声情報を送信する場合もある（例えば、特許文献１。）。
【０００３】
しかし、非常時には、放送中に無線送受信機に障害が発生して放送が中断され、予備系の送受信機に切りかえられる場合もある。この様な場合、系統切替後マイクからのアナウンスを繰り返すか、録音再生音声を繰り返して放送する等の手段が採られるが、受信側ではアナウンス内容に脱落が有るか無いかが不明な問題が有った。また、系統切替が有った場合、無線の送信ルートは、複数のツリー、又はスター状に設けられているため、復唱が必要な子局、必要としない子局があり、切り替えられていない局では、再放送が行われると却って伝達済みの情報の繰り返しにより情報が重複して受信者が混乱する問題があった。
【特許文献１】特開平１０−２４２８７３号公報  （第４頁、第１図）
【発明の開示】
【発明が解決しようとする課題】
【０００４】
従来の防災無線システムでは、放送中に無線送信系統の切替が発生した場合問題、音声の中断による情報欠落を防ぐための再読み上げにより情報が重複して受信者が混乱する問題が有った。
【０００５】
本発明は、上記問題を解決するためになされたもので、無線系統が切り替え有られた場合でも、通報が脱落せず受信者が混乱しない再放送をする防災無線システム、親局、および再送信方法を提供することを目的とする。
【課題を解決するための手段】
【０００６】
上記目的を達成するために、本発明の防災無線システムは、冗長化された送信系統を備え、親局から無線送信された通報データを受信する複数の子局から音声により防災放送を行う防災無線システムにおいて音声符号化された音声データを記憶する記憶手段と、送信中の前記防災放送の音声信号の通報データを前記記憶手段に書込記憶する制御と、前記通報データの無線送信中に送信系統が現用系から予備系に切替られた場合、予め前記記憶手段が記憶している再送信メッセージと、前記記憶手段に前記書込記憶していた通報データとを読み出して前記子局へ向けて再送信する制御を行う制御手段とを備える親局を具備することを特徴とする。
【０００７】
また本発明の防災無線システムの親局は、冗長化された送信系統を備え、親局から無線送信された通報データを受信する複数の子局から音声により防災放送を行う防災無線システムの親局において音声符号化された音声データを記憶する記憶手段と、送信中の前記防災放送の音声信号の通報データを前記記憶手段に書込記憶する制御と、前記通報データの無線送信中に送信系統が現用系から予備系に切替られた場合、予め前記記憶手段が記憶している再送信メッセージと、前記記憶手段に前記書込記憶していた通報データとを読み出して前記子局へ向けて再送信する制御を行う制御手段とを具備することを特徴とする。
【０００８】
更に、本発明の防災無線システムの再送信方法は、冗長化された送信系統を備える親局と、複数の子局とを備え、前記親局から無線送信された通報データを受信する複数の子局が音声により防災放送を行う防災無線システムの再送信方法において、前記親局は、無線送信中のオペレータがマイクから入力する前記防災放送の音声信号の通報データを記憶手段に書込記憶し、前記無線送信中に送信系統が現用系から予備系に切替られた場合、前記マイクからの音声入力の終了を検出して、予め前記記憶手段に記憶されている再送信メッセージと、前記記憶手段に前記書込記憶していた通報データとを読み出して前記子局へ向けて再送信することを特徴とする。
【発明の効果】
【０００９】
本発明によれば、無線系統が切り替え有られた場合でも、受信者が混乱しない再放送をする防災無線システム、親局、および再送信方法を提供することができる。
【発明を実施するための最良の形態】
【００１０】
以下、図面を参照して本発明の実施例を説明する。
【実施例】
【００１１】
図１は、本発明の実施例に係わる防災無線システムの構成系統図である。  
図１において、防災無線システムは、親局１、中継局２、子局３ａ〜３ｎ（以下共通の場合子局３と省略する。）とを備えている。
【００１２】
親局１は、子局３ａ〜３ｎに向けて音声メッセージを同報形式で送信する。親局１と子局２とが無線通信不可能な位置に設置されている場合、中継局２が設置されて後述のメッセージの再送送信処理が親局と同様に行われる。
【００１３】
図２は、親局１の構成を示す機能ブロック図である。
【００１４】
図２において、親局１は、内部バスＢ等でそれぞれの間が接続されている制御処理部１１、メモリ部１２、音声処理部１３、入出力部１４、インタフェース部１５と、インタフェース部１５を介して接続され子局３との間で無線通信をする無線装置１６ａ〜１６ｎとを備えている。制御処理部１１は、内部バスＢを介して各構成の動作の監視制御を行う。
【００１５】
音声処理部１３には、マイク１３１、スピーカ１３２の音声入出力手段と共に、音声信号をデジタル変換し、インタフェース部１５を介して無線装置が子局との間で送受信する無線信号に変換する音声処理回路１３３を備える。
【００１６】
マイク１３１からの音声信号は、音声処理回路１３３でデジタル変換され、内部バスＢを介してメモリ部１２の通報データメモリ１２１に書込記憶される。また、メモリ部１２には、後述の無線装置の系統切替が行われ、再放送をする場合に読み出される定型文の訂正メッセージがメッセージメモリ１２２に記憶されている。
【００１７】
入出力部１４は、オペレータが防災放送を行う場合の動作設定やコマンドを入力したり動作状況をモニタするスイッチ、キーボード、ランプ、ディスプレイ等の捜査情報入出力手段である。
【００１８】
無線装置１６ａ〜１６ｎは、それぞれ現用、予備に２系統化され、異常があると現用系から予備系に切り替えられる構成になっている。
【００１９】
インタフェース部１５は、無線信号を無線装置１６ａ〜１６ｎとの間で入出力し、各無線装置１６からアラーム信号を受信すると制御処理部１１に内部バスを介して通知し、制御処理部１１の制御に従って、アラームを受信した例えば、無線装置１６ａの現用系と予備系との切替を行う。
【００２０】
図３は、親局１が防災放送を行う場合の処理手順を示すフローチャートである。  
以下、図２、図３を参照して親局１の動作を説明する。
【００２１】
地震、台風などで防災情報を放送する場合、オペレータは、入出力部１４の送信スイッチを操作し、マイク入力をＯＮにして原稿を読み上げる。この音声は、マイク１３１で収集され、音声処理回路１３でデジタル音声符号化された後、所定の変調等の処理が行われた無線信号になり、インタフェース部１５を介して無線装置１６ａ〜１６ｎから子局３へ向けてオンエア（送信）される（図２のステップｓ１）。この時、デジタル音声符号化された信号は、内部バスＢを介してメモリ１２の通報データ１２１へも読上中に書込記録される（ステップｓ２）。
【００２２】
無線装置１６ａが、オンエア中に障害が発生した場合、無線装置１６ａの現用系からアラーム信号がインタフェース部１５を介して制御処理部１１へ通知される。アラームを受信した制御処理部１１は、無線装置１６ａを自動的に予備系に切り替える（ステップｓ３がＹｅｓ）。この場合、切替処理中に送信電波が中断して原稿を読み上げていても音声が途切れる場合が発生する場合がある。
【００２３】
制御処理部１１は、オンエア中は、切替処理中も含めて常に原稿の読み上げ状態を監視する。オペレータは、切替作業の有無に係わらず読み上げ中の原稿を原稿の終わりまで読み上げを続けている。終了タイミングの監視、検出方法は、例えば、オペレータがマイク入力をＯＦＦにしたことを検出しても良いし、音声処理部１３で、マイクからの音声入力が所定の時間以上途絶えたことを検出した時に音声入力ＯＦＦを制御処理部１１に内部バスＢを介して通知することにより検出するものでも良い。
【００２４】
制御処理部１１は、この原稿読上が終了したことを検出する（ステップｓ４）と、メッセージメモリ１２２から、予め記録されていた送信中の切替を行ったことを受信者に通知する、例えば、「送信機切替に伴う再放送を行います。」のメッセージの音声符号化データを読出し再生する。また、このメッセージ出力に続けて、通報データメモリ１２１に書込記録していた通報データを読み出して再生する。この続けて再生されたデータは、音声処理回路１３で無線信号になり、インタフェース部１５を介して無線装置１６ａの予備系から繰り返して送信される。
【００２５】
子局３では、防災放送を受信中系統切替があっても、上記のメッセージ付きの再送が行われるので、通常の繰り返しの通報か、機器故障復旧に伴う「念押し」の再送かが判別でき混乱することが無い。
【００２６】
また、アラーム信号に故障モードが通知されている場合、また、切替に要する時間等を制御処理部１１が故障状態を監視して故障モードを判読する機能を有している場合、故障モードに応じてメッセージメモリ１２２から読み出すメッセージを選択出来るようにしても良い（ステップｓ５）。
【００２７】
また、上記の説明では、無線装置１６からのアラームにより現用と予備系との切替を自動的に行っているが、入出力部１４に系統切替スイッチがあり、オペレータが系統切替を行う方法でもその切替情報を制御処理部１１へ通知することにより、同様な防災放送の通報の再送が可能である。
【００２８】
以上、説明した如く本発明による防災無線システムは、系統切替が行われてもメッセージの欠落を防ぐ再送が行われ、かつ、再送であることを示す音声メッセージが追加放送されるので子局からの放送音声の聴取社も混乱することが無く正確に情報を受信できる。
【００２９】
本発明は、上記主旨を脱しない範囲で構成や手順を組み合わせて適用することが可能である。例えば、上記の系統切替に伴う通報データの再送信方法は、中継局２において適用することが可能である。中継局では、親局における送信装置である無線装置は、受信器と送信器との組合せによるリピータ構成である。そして、例えば、中継局２は、受信器で受信電波を復調し、親局１がマイクからの符号化音声を通報データメモリ１２１に書込むのと同様に復調した音声符号化データを通報データメモリに書き込む様にして、中継局を介した伝送ルート上で何らかの系統切替が行われた場合、その切替アラームを元に中継局が親局での系統切替と同様に通報データの再送を行えばよい。
【００３０】
また、上記説明では、通報データの原稿をオペレータが読み上げた音声を音声符号化処理した通報データを通報データメモリに書込記憶するが、この音声の代わりにキーボード等の入出力部から入力された文章を符号化音声信号に変換した通報データが、一度通報データメモリに書込記憶され、それを読み出し放送中に予備系に切替えられた場合も同様に通報データに再送メッセージを付加して再放送する防災無線システムであっても良いことは言うまでも無い。
【図面の簡単な説明】
【００３１】
【図１】本発明の実施例に係わる防災無線システムの構成系統図。
【図２】本発明の実施例に係わる防災無線システム親局の構成を示す機能ブロック図。
【図３】親局が防災放送を行う場合の処理手順を示すフローチャート。
【符号の説明】
【００３２】
１  親局
１１  制御処理部
１２１  通報データメモリ
１２２  メッセージメモリ
１３  音声処理部
１４  入出力部
１５  インタフェース部
１６ａ〜１６ｎ  無線装置
【図１】
2009182484.tif 000003
【図２】
2009182484.tif 000004
【図３】
2009182484.tif 000005